(57)【要約】例に基づく画像操作を制御する方法および装置は、例イメージおよびワークピースイメージの選択がポインティングデバイス（６０５）およびそれの移動する動作を用いて行われる。制御の効率を高めるために、転送される画像特性の選択は、ポインティングデバイス（６０５）の移動する動作の時間間隔の間に、第２の入力デバイス（６０３、６１１、６１２、６１３、６１４）において検知された対話から導き出される。
2016522516.tif 000002
【特許請求の範囲】
【請求項１】
例に基づく画像マニピュレータ（６０２）を制御する方法であって、
ポインティングデバイス（６０５）である第１の入力デバイスから開始座標を受け取るステップと、
前記ポインティングデバイス（６０５）の移動時間間隔を検知するステップと、
前記ポインティングデバイス（６０５）の終了座標を受け取るステップと、
ワークピースイメージを特定するために、前記開始座標および前記終了座標の一方を使用するステップと、
例イメージを特定するために、前記開始座標および前記終了座標のそれぞれの他方を使用するステップと、
前記画像マニピュレータ（６０２）に、選択された画像特性が前記例イメージの内容に従って変更されるように、前記ワークピースイメージの画像操作を行わせるステップと、
を含み、
前記移動時間間隔の少なくとも一部の間で、第２の入力デバイス（６０３）において行われる対話を検知し、前記対話から前記選択された画像特性を導き出すステップを含む、前記方法。
【請求項２】
前記第２の入力デバイスはキーボード（６０３）であり、前記対話は、前記キーボードのキーが押されることである、請求項１に記載の方法。
【請求項３】
前記第２の入力デバイスは、前記ポインティングデバイス（６０５）上に設けられた追加のキー（６１１）であり、前記対話は、前記追加のキー（６１１）の１つがクリックされることである、請求項１に記載の方法。
【請求項４】
前記第２の入力デバイスは、第２のポインティングデバイス（６１２）であり、前記対話は、カーソルがそれで所定の位置の組の１つに移動されることである、請求項１に記載の方法。
【請求項５】
前記第２の入力デバイスは、第２のポインティングデバイス（６１２）であり、前記対話は、それで所定のジェスチャの組の１つが行われることである、請求項１に記載の方法。
【請求項６】
前記第２の入力デバイスは、音声入力デバイス（６１３）であり、前記対話は、所定のコマンドの組の１つが前記音声入力デバイスに向かって話されることである、請求項１に記載の方法。
【請求項７】
前記第２の入力デバイスは、選択入力部（６１５）を有するフットペダル（６１４）であり、前記対話は、前記選択入力部（６１５）によって選択が入力されることである、請求項１に記載の方法。
【請求項８】
ワークピースイメージを特定することは、２つ以上の画像またはそれらの部分を選択するステップを含み、前記画像マニピュレータ（６０２）に、前記ワークピースイメージの全ての画像またはそれらの部分に対して前記画像操作を行わせる、請求項１から７のいずれかに記載の方法。
【請求項９】
例イメージを特定することは、２以上の画像またはそれらの部分を選択するステップを含み、前記画像マニピュレータ（６０２）に、前記選択された画像特性が前記例イメージの全ての画像またはそれらの部分の内容に従って変更されるように前記画像操作を行わせる、請求項１から７のいずれかに記載の方法。
【請求項１０】
ディスプレイ（６０１）、ポインティングデバイス（６０５）である第１の入力デバイス、および第２の入力デバイス（６０３、６１１、６１２、６１３、６１４）を備え、請求項１から９のいずれかに記載の方法を行うよう装備され、かつ構成された、装置。
【請求項１１】
コンピュータ可読媒体に記憶されたコンピュータプログラム製品であって、実行されたとき、コンピュータに請求項１から９のいずれかに記載の例に基づく画像マニピュレータを制御する方法を行わせる、前記コンピュータプログラム製品。
【発明の詳細な説明】
【技術分野】
【０００１】
本発明は、ディジタル画像の例に基づく操作を制御すること、例えば、例に基づく画像カラー化を制御することに関する。
【背景技術】
【０００２】
例に基づく画像操作は、コンピュータビジョンにおける比較的新しい分野である。これは画像を向上するまたは変更するために、例を利用することにある。例に基づく画像カラー化はその一例である。例に基づく画像カラー化では、カラー化される必要がある白黒入力画像が与えられ得る。または、そのカラー化が異なるカラー化で置き換えられることになる、カラー入力画像が与えられ得る。長時間で面倒な手動のカラー化プロセスの代わりに、一組の例画像が使用され、それから、以下ではワークピース画像とも表される所与の入力画像が自動的にカラー化される。例画像は、少なくとも部分的に、ワークピース画像と同じオブジェクトまたは風景を表すものとされている。
【０００３】
例に基づく画像操作のための多くの最新技術の技法は、カラー化されることになるワークピース画像内のパッチと、所与の１または複数の例画像内のパッチとの、パッチ対応を見出すステップに依存する。次いで見出されたパッチ対応は、以下では画像特性とも表される選択された画像信号特性を、１または複数の例画像からワークピース画像パッチに転送するために使用される。
【０００４】
１つの画像から別の画像に転送され得る信号特性または画像特性は、画像解像度、コントラスト、テクスチャ、ぼけ、色、またはその他を含む。色を転送する特定の場合には、個々の色チャネルを選択または選択解除することが望ましくなり得る。例えば特定のカラー化プロジェクトにおいて、例画像の特定の範囲および質を所与として、第１の色チャネルは優先的に例画像の第１のサブセットから転送されるが、一方、別の色チャネルは別の異なる、例画像のサブセットから転送されることが最も適切となり得ることが想定される。後の開示の部分では、色を転送することが述べられ、これは画像カラー化の動作となる。しかしここで明らかなように、本発明はこの応用例に限定されない。
【０００５】
米国特許第５，７３２，２３０号明細書は、画像処理デバイスが特大サイズ画像を効率的に処理できるように、画像断片を操作するためのシステムを開示したことを主張している。このシステムは、特大サイズ画像が複数の画像断片に走査されるときに、ユーザがこれらを、それらに対してドラッグ、ドロップ、およびマージ動作を行うことによって操作できるようにユーザインターフェースをもたらす。本発明の実施形態は、ユーザが動作を行うことを可能にするためにタッチスクリーンまたはマウスの使用を含む。画像断片を回転すること、表示された断片の部分においてズームインまたはズームアウトすること、断片を統合された画像にマージすること、および画像断片を記憶または印刷することなどの他の動作が選択可能である。
【発明の概要】
【０００６】
本発明は、例に基づく画像操作が、アルゴリズムの詳細における全ての差異にかかわらず、通常以下のステップを伴うという所見から開始している：
−  ワークピース画像として、操作されることになる１または複数の画像を選択するステップ；
−  例画像として使用されることになる１または複数の画像を選択するステップ；
−  変更されることになる画像特性を選択するステップ。これは、一組の専用の画像操作ツールの中から１つを選ぶことによって暗黙的に与えられ得る。
−  前の選択を使用して、画像操作プロセス自体を開始するステップ。
【０００７】
上記において「画像」は、個々のファイルとして記憶された単一の静止画像だけでなく、圧縮または非圧縮の画像シーケンスのサブセット、および／またはそれらの空間的サブセットを表すことが意図される。画像は、白黒、任意の種類のカラー、コンピュータ生成、カートゥーン描画とすることができ、さらには赤外線またはレーダのような非可視光線に基づくことができる。「イメージ」は、以下ではこれら全てを表すように使用される。
【０００８】
ユーザインターフェースの観点から見ると、上述のステップは４つのユーザ対話ステップに対応する。これらのステップの知られている実装形態を連結することは、画像操作を制御する動作がそのときかなりの時間を必要とするため、制約となる。従って、プロセスのより効率的な制御という意味での改善が望ましい。
【０００９】
本発明は、上述のユーザインターフェースステップ全てがファイルシステムに、または任意の他のアプリケーションソフトウェアに組み込まれることを可能にする、例に基づく画像操作を制御するための方法を提案する。このために本発明は、２つ以上の入力デバイスを使用した、ユーザ入力アクションの組み合わせを提案する。従って予想される利点は、例に基づく技法のより高い有用性であり、これは向上された効率および生産性、ならびにオペレータ疲労の低減に繋がる。
【００１０】
例に基づく画像操作についての刊行物は、例えばＰｒｏｃｅｅｄｉｎｇｓ  ｏｆ  ＳＩＧＧＲＡＰＨ  ２００１，  Ａｎｎｕａｌ  Ｃｏｎｆｅｒｅｎｃｅ  Ｓｅｒｉｅｓ，  ｐｐ．  ３２７−３４０において発表された「Ｉｍａｇｅ  Ａｎａｌｏｇｉｅｓ」という名称の論文、Ｔｈｅ  Ｃｏｍｐｕｔｅｒ  Ｊｏｕｒｎａｌ，  ２００７において発表された「Ｅｘａｍｐｌｅ−ｂａｓｅｄ  ｒｅｇｕｌａｒｉｚａｔｉｏｎ  ｄｅｐｌｏｙｅｄ  ｔｏ  ｓｕｐｅｒ−ｒｅｓｏｌｕｔｉｏｎ  ｒｅｃｏｎｓｔｒｕｃｔｉｏｎ  ｏｆ  ａ  ｓｉｎｇｌｅ  ｉｍａｇｅ」という名称の論文、またはＡＣＭ  Ｔｒａｎｓ．  Ｇｒａｐｈ．  ３０，  ４，  ７０：１−７０：９において発表された「Ｎｏｎ−ｒｉｇｉｄ  Ｄｅｎｓｅ  Ｃｏｒｒｅｓｐｏｎｄｅｎｃｅ  ｗｉｔｈ  Ａｐｐｌｉｃａｔｉｏｎｓ  ｆｏｒ  Ｉｍａｇｅ  Ｅｎｈａｎｃｅｍｅｎｔ」という名称の論文に見出され得る。
【００１１】
本発明の目的は、例に基づく画像マニピュレータを制御するための改善された方法をもたらすことである。本発明によれば、これは、ポインティングデバイスである第１の入力デバイスから開始座標を受け取るステップと、上記ポインティングデバイスの移動時間間隔を検知するステップと、上記ポインティングデバイスの終了座標を受け取るステップと、ワークピースイメージを特定するために上記開始座標および上記終了座標の１つを使用するステップと、例イメージを特定するために上記開始座標および上記終了座標のそれぞれの他の１つを使用するステップと、画像マニピュレータに、選択された画像特性が上記例イメージの内容に従って変更されるように、上記ワークピースイメージの画像操作を行わせるステップとを含み、上記移動時間間隔の少なくとも一部の間で、第２の入力デバイスにおいて行われる対話が検知され、上記対話から上記選択された画像特性が導き出される、方法によって達成される。
【００１２】
本発明の別の目的は、代替的実施形態をもたらすことである。本発明によれば、これは、上記第２の入力デバイスはキーボードであり、上記対話はこのキーボードのキーが押されることである方法により、上記第２の入力デバイスは上記ポインティングデバイス上に設けられた追加のキーであり、上記対話はこれらの追加のキーの１つがクリックされることである方法により、上記第２の入力デバイスは第２のポインティングデバイスであり、上記対話はそれでカーソルが所定の位置の組の１つに移動されることである方法により、上記第２の入力デバイスは第２のポインティングデバイスであり、上記対話はそれで所定のジェスチャの組の１つが行われることである方法により、上記第２の入力デバイスは音声入力デバイスであり、上記対話は所定のコマンドの組の１つが上記音声入力デバイスに向かって話されることである方法により、または上記第２の入力デバイスは選択入力部を有するフットペダルであり、上記対話は上記選択入力部によって選択が入力されることである方法により、達成される。
【００１３】
本発明の別の目的は、上記例に基づく画像マニピュレータを制御する効率をさらに改善することであり、ワークピースイメージを特定するステップは２つ以上の画像もしくはそれらの部分を選択するステップを含み、上記画像マニピュレータに、上記ワークピースイメージの全ての画像もしくはそれらの部分に対して上記画像操作を行わせる方法により、または、例イメージを特定するステップは２つ以上の画像もしくはそれらの部分を選択するステップを含み、上記画像マニピュレータに、上記選択された画像特性が上記例イメージの全ての画像もしくはそれらの部分の内容に従って変更されるように上記画像操作を行わせる方法により、達成される。
【図面の簡単な説明】
【００１４】
本発明の例示的実施形態は、以下の記述でより詳しく説明され、以下の図に示される。
【図１】本発明の第１の例示的実施形態を、ユーザの観点からフロー図形式で示す図である。
【図２】本発明の第１の例示的実施形態のステップによる対応する方法のステップを、フロー図形式で示す図である。
【図３】本発明の第２の例示的実施形態のステップを、ユーザの観点からフロー図形式で示す図である。
【図４】本発明の第２の例示的実施形態による対応する方法のステップを、フロー図形式で示す図である。
【図５】画像のグループを選択することに関する方法ステップを示す図である。
【図６】本発明を具現化するように装備され構成された装置を示す図である。
【発明を実施するための形態】
【００１５】
以下の例示的実施形態を示すために、例画像としてまたはワークピース画像として選択可能な画像は、例えばディスプレイ６０１上においてアイコンまたはサムネイル６０７によって表されることが仮定される。
【００１６】
図１は第１の例示的実施形態をユーザの観点から示す。開始において（１０１）、ユーザは、未だ選択されていない画像特性を転送する、例イメージとして第１の画像を選択する（１０２）。ユーザはこれを、第１の入力デバイスであるポインティングデバイス６０５における第１の対話によって行う。
【００１７】
ユーザインターフェースはその選択を例えば、第１の画像のシンボルを強調表示または明滅することによって、第１の画像のものを除く他の画像シンボルをグレイアウトすることによって、第１の画像のシンボルの近くにバルーンを表示することによって、または第１の画像のシンボルの周りを取り囲む縁取りを表示することによって、視覚化することができる。
【００１８】
次いでユーザは、未だ選択されていない画像特性が転送される、ワークピースイメージを選択する準備のために、ポインティングデバイス６０５を移動する（１０３）。この移動する動作によって、ポインティングデバイスの移動時間間隔が定義される。
【００１９】
本発明によればユーザは、このポインティングデバイス６０５の移動時間間隔の間に、第２の入力デバイス６０３、６１１、６１２、６１３、６１４において行われる対話によって、転送されることになる画像特性を選択する（１０４）。第２の入力デバイスはキーボード６０３とすることができ、この場合対話は、このキーボードのキー６０４が押されることにある。あるいは第２の入力デバイスは、ポインティングデバイス６０５上に設けられた追加のキー６１１からなるものとすることができ、この場合対話は、これらの追加のキー６１１の１つをクリックすることにある。あるいは第２の入力デバイスは、他方の手で動作される第２のポインティングデバイス６１２とすることができ、この場合対話は、所定の位置の組の１つにカーソルを移動することにある。あるいは同じ第２のポインティングデバイス６１２によって対話は、所定のジェスチャの組の１つを行うことにあるものとすることができる。あるいは第２の入力デバイスは、音声入力デバイス６１３とすることができ、この場合対話は、所定のコマンドの組の１つを音声入力デバイス６１３に向かって話すことにある。あるいは第２の入力デバイスは、選択入力部６１５を有するフットペダル６１４とすることができ、この場合対話は、足によってこれらのいずれかをアクティブにすることにある。
【００２０】
ユーザインターフェースは、例えば選択された画像特性を表すアイコンもしくはシンボルを表示することによって、および／または押されたキーボードキー６０４のように、第２の入力デバイス６０３、６１１、６１２、６１３、６１４の状態を表すアイコンもしくはシンボルを表示することによって、画像特性選択を視覚化することができる。
【００２１】
次いでユーザは、ポインティングデバイス６０５における第２の対話によって、ワークピースイメージとして第２の画像を選択し（１０５）、その後に画像操作自体が開始することができ（１０６）、対話は終了する（１０７）。
【００２２】
例イメージを選択すること（１０２）、およびワークピースイメージを選択すること（１０５）を含む、ポインティングデバイス６０５における対話は、種々のやり方で具現化することができ、その全ては本発明の範囲内となるものである。その１つの例では、ポインティングデバイスにおける第１の対話はポインティングデバイス６０５上の選択要素６０６のクリックアンドホールド動作であり、移動する動作は一般にドラッグ動作として知られているもので、すなわち選択されたもの６０６を保ちながらポインティングデバイス６０５を移動するものであり、ポインティングデバイス６０５における第２の対話はドロップ動作、すなわち選択要素６０６をリリースする動作である。それらの別の例では、ポインティングデバイス６０５における第１の対話は選択要素６０６のクリックアンドリリース動作であり、移動する動作はポインティングデバイス６０５を移動するだけであり、ポインティングデバイス６０５における第２の対話は選択要素６０６の別のクリックアンドリリース動作である。
【００２３】
図２は、例に基づく画像マニピュレータ６０２を制御するための関連する技術的方法を、開始（２０１）から終了（２０９）まで示し、これは以下のステップを含む：
−  ポインティングデバイス６０５である第１の入力デバイスから開始座標を受け取るステップ（２０２）、
−  例イメージとして第１の画像を特定するために、開始座標を使用するステップ（２０３）、
−  第２の入力デバイス６０３、６１１、６１２、６１３、６１４から選択情報を受け取るステップ（２０４）、
−  選択情報から、選択された画像特性を導き出すステップ（２０５）、
−  ポインティングデバイス６０５から終了座標を受け取るステップ（２０６）、
−  ワークピースイメージとして第２の画像を特定するために、終了座標を使用するステップ（２０７）、
−  画像マニピュレータ６０２に、選択された画像特性を例イメージからワークピースイメージに転送するように、例に基づく画像操作を適用させるステップ（２０８）。
【００２４】
ここで、図２に表されるように、開始座標を受け取るステップ（２０２）は、開始座標を使用するステップ（２０３）より前に行われなければならない。選択情報を受け取るステップ（２０４）は、選択情報から導き出すステップ（２０５）より前に行われなければならない。終了座標を受け取るステップ（２０６）は、終了座標を使用するステップ（２０７）より前に行われなければならない。および画像マニピュレータ６０２にさせるステップ（２０８）は、開始座標を使用するステップ（２０３）、選択情報から導き出すステップ（２０５）、および終了座標を使用するステップ（２０７）より後に行われなければならない。その他の点では、ステップの順序は任意である。
【００２５】
第２の入力デバイス６０３、６１１、６１２、６１３、６１４から選択情報を受け取るステップ２０４は、
−  キーボード６０３において、ポインティングデバイス６０５の移動時間間隔の少なくとも一部の間で、キー６０４が押されたことを検知するステップ、
−  ポインティングデバイス６０５に追加のキー６１１が装備されているときは、移動時間間隔の少なくとも一部の間で、ポインティングデバイスキー６１１が押されたことを検知するステップ、
−  第２のポインティングデバイス６１２において、カーソルが所定の位置の組の１つに移動されたことを検知するステップ、
−  第２のポインティングデバイス６１２において、所定のジェスチャの組の１つが行われたことを検知するステップ、
−  音声入力デバイス６１３において、所定のコマンドの組の１つを検出するステップ、または
−  フットペダル６１４において、選択入力部６１５を検知するステップ、
または、適切にそれらの任意の組み合わせを含むことができる。
【００２６】
方法は追加として、特定された例イメージを視覚化するステップ、選択された画像特性を視覚化するステップ、および／または特定されたワークピースイメージを視覚化するステップを含むことができる。
【００２７】
図３は、第２の例示的実施形態をユーザの観点から示す。開始（３０１）においてユーザは、ポインティングデバイス６０５における第１の対話によって、未だ選択されていない画像特性が転送されるワークピースイメージとして、第１の画像を選択する（３０２）。上述のようにユーザインターフェースは、その選択を視覚化することができる。次いでユーザは、未だ選択されていない画像特性を転送する例イメージとして第２の画像を選択する準備のために、ポインティングデバイス６０５を移動する（３０３）。本発明によればユーザは、ポインティングデバイスの移動時間間隔の間に、第２の入力デバイス６０３、６１１、６１２、６１３、６１４において行われる対話によって、転送されることになる画像特性を選択する（３０４）。上述のようにユーザインターフェースは、画像特性選択を視覚化することができる。
【００２８】
次いでユーザは、ポインティングデバイス６０５における第２の対話によって、例イメージとして、すなわち前に選択されたワークピースイメージにその画像特性が転送される１つまたは複数の画像もしくはそれらの部分として、第２の画像を選択する（３０５）。この第２の選択の後に、画像操作が開始することができ（３０６）、対話は終了する（３０７）。
【００２９】
図４は、例に基づく画像マニピュレータ６０２を制御するための関係する技術的方法を、開始（４０１）から終了（４０９）まで示し、これは以下を含む：
−  ポインティングデバイス６０５である第１の入力デバイスから、開始座標を受け取るステップ（４０２）、
−  ワークピースイメージとして第１の画像を特定するために、開始座標を使用するステップ（４０３）、
−  第２の入力デバイス６０３、６１１、６１２、６１３、６１４から選択情報を受け取るステップ（４０４）、
−  選択情報から、選択された画像特性を導き出すステップ（４０５）、
−  ポインティングデバイス６０５から終了座標を受け取るステップ（４０６）、
−  例イメージとして第２の画像を特定するために、終了座標を使用するステップ（４０７）、
−  画像マニピュレータ６０２に、選択された画像特性を例イメージからワークピースイメージに転送するように、例に基づく画像操作を適用させるステップ（４０８）。
【００３０】
方法は追加として、特定されたワークピースイメージを視覚化するステップ、選択された画像特性を視覚化するステップ、および／または特定された例イメージを視覚化するステップを含むことができる。
【００３１】
ここで、図４に表されるように、開始座標を受け取るステップ（４０２）は、開始座標を使用するステップ（４０３）より前に行われなければならない。選択情報を受け取るステップ（４０４）は、選択情報から導き出すステップ（４０５）より前に行われなければならない。終了座標を受け取るステップ（４０６）は、終了座標を使用するステップ（４０７）より前に行われなければならない。および画像マニピュレータ６０２にさせるステップ（４０８）は、開始座標を使用するステップ（４０３）、選択情報から導き出すステップ（４０５）、および終了座標を使用するステップ（４０７）より後に行われなければならない。その他の点では、ステップの順序は任意である。
【００３２】
有利なさらなる発展形態では、例イメージを選択する（１０２、３０５）ため、またはワークピースイメージを選択する（１０５、３０２）ために行われる、ポインティングデバイス６０５における対話の少なくとも１つは、単一の画像だけの代わりに画像のグループの選択を可能にするように拡張され得る。
【００３３】
例イメージとして画像のグループを選択することは、例えば例画像パッチとワークピース画像パッチの間の対応が弱い、または見出し難い状況において有益となり得る。例イメージとして画像のグループをもつことは、例画像としてグループからの各画像を使用して画像操作を順次に適用し、ワークピース画像パッチに対して行われた操作を重ね合わせることであると理解され得る。その結果、これは性能を改善することが分かる。
【００３４】
ワークピースイメージとして画像のグループを選択することは、例えばグループ内のワークピース画像が互いに非常に似ている状況において有益となり得る。これが生じる１つの状況は、増加した画像周波数で捕捉されたスローモーションシーケンスからの連続した画像の場合である。ワークピースイメージとして画像のグループをもつことは、選択された画像特性を例イメージから、ワークピースイメージ内の各個々の画像に転送することであると理解され得る。これはユーザ対話を簡単にし、従って装置を制御する効率を向上させることが分かる。利用可能なハードウェアに応じて、いくつかのワークピース画像の、例に基づく操作は、もちろん連続的にまたは並列にまたはそれらの任意の組み合わせで行われ得る。それに対応した全体の処理時間の短縮が結果として生じ得る。
【００３５】
２つ以上の画像を、画像の単一のグループに選択するために、いくつかのユーザインターフェースの枠組みが存在し、例えば第１の選択のためのクリック、およびその後のグループへの追加のためのその後の「制御クリック」の場合である。またはポインティングデバイス６０５を用いて行われる「ワイプスルー」の動作であり、ポインティングデバイスのカーソルによってタッチされたディスプレイ６０１上のシンボル６０７のあらゆるアイテムは選択されたと見なされ、通常はそのように強調表示される。または、しばしばｌａｓｓｏモードとして表される、選択されることになるオブジェクトを、ディスプレイ６０１上のそれらのシンボル６０７の周りに縁取りを描くことによって取り囲む動作がある。
【００３６】
図５は、例に基づく画像マニピュレータ６０２を制御するための技術的方法における関連するステップを示す。
【００３７】
−  画像のグループを特定するステップ（５０１）であって、
−  ポインティングデバイス６０５である第１の入力デバイスから、いくつかの開始または終了座標を受け取るステップ（５０２）、
−  画像を特定するために、各開始または終了座標を使用するステップ（５０３）、
−  特定された画像を画像のグループに追加するステップ（５０４）、
によるステップ（５０１）、および
−  画像マニピュレータ６０２に、選択された画像特性を例イメージとして使用される画像のグループからワークピースイメージに転送するように、例に基づく画像操作を適用させるステップ（５０５）、
または
−  画像マニピュレータ６０２に、選択された画像特性を例イメージから、ワークピースイメージとして使用される画像のグループ内の各画像に転送するように、例に基づく画像操作を適用させるステップ（５０６）。
【００３８】
ここで、特定するステップ（５０１）は、その受け取るサブステップ（５０２）、使用するサブステップ（５０３）、および追加するサブステップ（５０４）と共に、受け取るステップ（２０２）および使用するステップ（２０３）、受け取るステップ（２０６）および使用するステップ（２０７）、受け取るステップ（４０２）および使用するステップ（４０３）、または受け取るステップ（４０６）および使用するステップ（４０７）のいずれか、または全てを置き換えることができる。
【００３９】
ここで明らかなように、例イメージのためにおよびワークピースイメージのために、単一の画像の代わりに画像のグループを選択することが有利となり得る。これもまた本発明の範囲内となるものである。
【００４０】
図６は、本発明を具現化するように装備され構成された装置を示す。装置は、ディスプレイ６０１への第１の接続６０８を有し、ポインティングデバイス６０５である第１の入力デバイスへの第２の接続６０９を有するプロセッサ６０２を備える。プロセッサ６０２はまた、例に基づく画像マニピュレータとして機能するように装備され構成され、第２の入力デバイス６０３、６１１、６１２、６１３、６１４を介して選択された画像特性を、ポインティングデバイス６０５によって特定された例イメージから、ポインティングデバイス６０５によって特定されたワークピースイメージに転送する。プロセッサ６０２は、キーボード６０３の形態とすることができる第２の入力デバイスへの第３の接続６１０を有する。あるいは第２の入力デバイスは、ポインティングデバイス６０５上に設けられた追加のキー６１１にあるものとすることができる。あるいはプロセッサ６０２は、第２のポインティングデバイス６１２への第３の接続６１０を有することができる。あるいはプロセッサ６０２は、音声入力デバイス６１３への第３の接続６１０を有することができる。あるいはプロセッサ６０２は、フットペダル６１４への第３の接続６１０を有することができる。ディスプレイ６０１は、いくつかの画像のシンボル６０７を記号的に示す。ポインティングデバイス６０５は、選択要素６０６を備える。キーボード６０３は、キー６０４を備える。フットペダル６１４は、選択入力部６１５を備える。
【００４１】
言い換えれば、例に基づく画像操作を制御するための方法および装置が開示され、例イメージおよびワークピースイメージの選択は、ポインティングデバイス６０５である第１の入力デバイス、およびその移動の動作によって行われる。制御の効率を向上させるために、転送されることになる画像特性の選択は、ポインティングデバイス６０５の移動の動作の時間間隔の間に、第２の入力デバイス６０３、６１１、６１２、６１３、６１４において検知される対話から導き出される。
【図１】
2016522516.tif 000003
【図２】
2016522516.tif 000004
【図３】
2016522516.tif 000005
【図４】
2016522516.tif 000006
【図５】
2016522516.tif 000007
【図６】
2016522516.tif 000008
【国際調査報告】
2016522516.tif 000009
2016522516.tif 000010